(57)【要約】【課題】上沓及び下沓における一方の滑り面に凹部が設けられても、摺動する他方の滑り部材が損傷することがない滑り支承装置を提供することを目的とする。【解決手段】下部建造物１０１で上部建造物１００を支持する支持構造において、上部建造物１００の底面１００ａに設けられた上沓１０と下部建造物１０１の上面１０１ａに設けた下沓２０とで構成され、上沓１０の上摺動面１０ａと下沓２０の下摺動面２０ａとが摺動する滑り支承装置１において、上沓１０の上摺動面１０ａに、ベアリング１２と、ベアリング１２における摺動方向の前方に配置されたダミーベアリング１３とを設け、下沓２０の下摺動面２０ａに、凹部２３を有するとともに、ベアリング１２より摺動方向に広いスライドプレート２１で構成した。【選択図】図２
2020059974.tif 000002
【特許請求の範囲】
【請求項１】
下部建造物で上部建造物を支持する支持構造において、前記上部建造物の下部に設けられた上沓と前記下部建造物の上部に設けた下沓とで構成され、前記上沓の摺動面と前記下沓の摺動面とが摺動する滑り支承装置であって、
前記上沓及び前記下沓のうち一方の摺動面には、滑り部材と、該滑り部材における摺動方向の前方に配置された犠牲滑り部材とが設けられ、
前記上沓及び前記下沓のうち他方の摺動面は、凹部を有するとともに、前記滑り部材より摺動方向に広い広摺動面部材で構成された
滑り支承装置。
【請求項２】
前記下沓の摺動面は、全方向において摺動可能に前記上沓の摺動面より広く形成し、
前記犠牲滑り部材は、前記滑り部材の径外側において環状に形成された
請求項１に記載の滑り支承装置。
【請求項３】
前記犠牲滑り部材は、
前記広摺動面部材の強度以下の強度で構成された
請求項１または２に記載の滑り支承装置。
【請求項４】
前記広摺動面部材は、
前記上沓の摺動距離に対して複数に分割された分割広摺動面部材を並設して構成された
請求項１乃至３のうちいずれかに記載の滑り支承装置。
【請求項５】
前記凹部は、
複数並設された前記分割広摺動面部材同士の間で構成された
請求項４に記載の滑り支承装置。
【請求項６】
前記広摺動面部材は、
前記下部建造物の上面に対して載置された
請求項１乃至５のうちいずれかに記載の滑り支承装置。
【発明の詳細な説明】
【技術分野】
【０００１】
この発明は、例えば下部建造物と上部建造物との間に介在させて、上部建造物を支持しながら、下部建造物を摺動可能とした滑り支承装置に関する。
【背景技術】
【０００２】
例えば、橋脚と上部橋梁との間、ビルとビルとの間に架け渡した渡り廊下とビルとの間、石油プラントのような重量の大きなタンクと架台との間、あるいは柱で支持する屋根梁と柱との間などにおいて、下部に位置する下部建造物に対して、上部建造物を支持しながら、摺動可能とした滑り支承装置が用いられている。
【０００３】
例えば、特許文献１記載の滑り支承装置は、下部構造側に配置される下部滑り部材と、上部構造側に固定され、滑り面を形成する上部滑り部材とが摺動することができるように構成されている。
【０００４】
詳述すると、上述のような滑り支承部材において、下部滑り部材と上部滑り部材とは一方が他方より摺動方向に大きく形成されており、大きく形成された滑り部材に対して他方の滑り部材が摺動するように構成されている。
【０００５】
このように他方に比べて摺動方向に大きく形成された滑り部材が、例えば、摺動距離の増大に伴って複数の滑り部材を並設する場合における滑り部材同士の間の継ぎ目や、設置スペースや設置方法等の制限によって滑り部材の滑り面にネジなどの固定箇所が設けられることがあった。
【０００６】
このような滑り部材同士の間の継ぎ目や、滑り部材の滑り面にネジなどの固定箇所は、滑り面に対して凹状となり、摺動する他方の滑り部材が凹状部分を通過することで損傷し、滑り性能が低下するという問題があった。
【先行技術文献】
【特許文献】
【０００７】
【特許文献１】特願２０１２−６７６１号公報
【発明の概要】
【発明が解決しようとする課題】
【０００８】
そこで本発明では、上沓及び下沓における一方の滑り面に凹部が設けられても、摺動する他方の滑り部材が損傷することがない滑り支承装置を提供することを目的とする。
【課題を解決するための手段】
【０００９】
この滑り支承装置は、下部建造物で上部建造物を支持する支持構造において、前記上部建造物の下部に設けられた上沓と前記下部建造物の上部に設けた下沓とで構成され、前記上沓の摺動面と前記下沓の摺動面とが摺動する滑り支承装置であって、前記上沓及び前記下沓のうち一方の摺動面には、滑り部材と、該滑り部材における摺動方向の前方に配置された犠牲滑り部材とが設けられ、前記上沓及び前記下沓のうち他方の摺動面は、凹部を有するとともに、前記滑り部材より摺動方向に広い広摺動面部材で構成されたことを特徴とする。
【００１０】
この滑り支承装置の態様として、前記下沓の摺動面は、全方向において摺動可能に前記上沓の摺動面より広く形成し、前記犠牲滑り部材は、前記滑り部材の径外側において環状に形成されてもよい。
【００１１】
またこの滑り支承装置の態様として、前記犠牲滑り部材は、前記広摺動面部材の強度以下の強度で構成されてもよい。  
またこの滑り支承装置の態様として、前記広摺動面部材は、前記上沓の摺動距離に対して複数に分割された分割広摺動面部材を並設して構成されてもよい。
【００１２】
またこの滑り支承装置の態様として、前記凹部は、複数並設された前記分割広摺動面部材同士の間で構成されてもよい。  
またこの滑り支承装置の態様として、前記広摺動面部材は、前記下部建造物の上面に対して載置されてもよい。
【発明の効果】
【００１３】
本発明により、上沓及び下沓における一方の滑り面に凹部が設けられても、摺動する他方の滑り部材が損傷することがない滑り支承装置を提供することができる。
【図面の簡単な説明】
【００１４】
【図１】滑り支承装置の斜視図。
【図２】滑り支承装置の説明図。
【図３】滑り支承装置の分解斜視図。
【図４】滑り支承装置の摺動について説明する断面図による説明図。
【発明を実施するための形態】
【００１５】
滑り支承装置の一実施形態を以下図面とともに説明する。  
図１は滑り支承装置１の斜視図を示し、図２は滑り支承装置１の説明図を示し、図３は滑り支承装置１の底面側から見た分解斜視図を示し、図４は滑り支承装置１の摺動について説明する断面図による説明図を示している。
【００１６】
詳しくは、図２（ａ）は図２（ｃ）のａ−ａ線における滑り支承装置１のａ−ａ矢視断面図を示し、図２（ｂ）の左半分は滑り支承装置１の正面図を示し、右半分は図２（ａ）で示すｂ−ｂ矢視断面図を示し、図２（ｃ）は図２（ｂ）におけるａ部の拡大図を示している。
【００１７】
なお、図２（ａ）における左右方向を第１方向Ｘ、図２（ａ）における上下方向を第２方向Ｙ、滑り支承装置１の高さ方向を高さ方向Ｚとしている。また、図１におけるベアリングホルダ１１並びに、図３におけるベアリングホルダ１１、ベアリング１２、ダミーベアリング１３及びスライドプレート２１の手前側を透過状態で図示している。
【００１８】
また、図４（ａ）は摺動前の滑り支承装置１の部分拡大断面図を示し、図４（ｂ）はダミーベアリング１３が下沓２０の凹部２３を摺動する状態の滑り支承装置１の部分拡大断面図を示し、図４（ｃ）はベアリング１２が下沓２０の凹部２３を摺動する状態の滑り支承装置１の部分拡大断面図を示している。
【００１９】
滑り支承装置１は、上部建造物１００（図２（ｂ）参照）の底面１００ａに設けられる上沓１０と、下部建造物１０１（図２（ｂ）参照）の上面１０１ａに設置される下沓２０とで構成され、上沓１０の上摺動面１０ａと下沓２０の下摺動面２０ａとが摺動する滑り支承装置である。
【００２０】
なお、下部建造物１０１及び上部建造物１００は、例えば、橋脚を下部建造物１０１とし、主桁を上部建造物１００とする橋梁、ビルを下部建造物１０１とし、ビルとビルとを連絡する渡り廊下を上部建造物１００とする連絡通路、柱を下部建造物１０１とし、トラス屋根を上部建造物１００とする屋根構造、あるいは、ビルを下部建造物１０１とし、別のビルを上部建造物１００とするエキスパンション構造における構造物としてもよい。
【００２１】
上部建造物１００（図２（ｂ）参照）の底面１００ａに設けられる上沓１０は、底面１００ａに取り付けられるベアリングホルダ１１と、ベアリングホルダ１１の底面１１１に設けたベアリング１２及びダミーベアリング１３とで構成している。
【００２２】
ベアリングホルダ１１は、平面視において第１方向Ｘ及び第２方向Ｙが略同じ長さで、正面視において高さ方向Ｚに適宜の厚みを有する、ＳＳ４００などの鋼製板材であり、底面１１１に、ベアリング１２を装着する中央装着凹部１１２と、中央装着凹部１１２の径外側においてダミーベアリング１３を装着する径外側装着凹部１１３を設けている。なお、中央装着凹部１１２と径外側装着凹部１１３とは、後述するベアリング１２及びダミーベアリング１３の高さ方向Ｚの高さより浅い深さで構成している。
【００２３】
ベアリング１２は、平面視円形で高さ方向Ｚにおいて適宜の厚みを有する滑り部材であり、充填材入りで滑り性の高いＰＴＦＥ（ポリテトラフルオロエチレン）系やＰＡ（ポリアミド）系の樹脂で構成している。
【００２４】
ダミーベアリング１３は、ベアリング１２よりひとまわり大きな径で形成され、高さ方向Ｚにおいてベアリング１２と略同じ高さで形成した平面視リング状であり、ベアリング１２と同様に、充填材入りで滑り性の高いＰＴＦＥ系やＰＡ系の樹脂で構成している。なお、ダミーベアリング１３は、ベアリング１２の径外側に配置した場合、ベアリング１２の外径とダミーベアリング１３の内径との間に所定の間隔が開く程度の大きさで形成している。
【００２５】
このように各要素が構成された上沓１０は、ベアリングホルダ１１の底面１１１に形成した中央装着凹部１１２にベアリング１２を装着するとともに、径外側装着凹部１１３にダミーベアリング１３を装着し、ベアリング１２及びダミーベアリング１３が装着されたベアリングホルダ１１を上部建造物１００の底面１００ａに取付けられて構成される。
【００２６】
下部建造物１０１の上面１０１ａに固定したバックプレートに一枚物のスライドプレートを装着して構成する一般的な従来構造の滑り支承装置における下沓と異なり、下沓２０は、下部建造物１０１の上面１０１ａに載置されたスライドプレート２１で構成している。
【００２７】
具体的には、図２（ａ）において一点破線で円形状に示す滑り支承装置１の摺動範囲Ａｒより平面サイズの小さな平面視正方形状の分割スライドプレート２２を、わずかな隙間を隔てて第１方向Ｘ及び第２方向Ｙに並列配置して構成している。なお、本実施形態では、第１方向Ｘに３枚、第２方向Ｙに３枚並べて全体で９枚の分割スライドプレート２２を並列配置して構成しているが、配置数はこれに限定されず、例えば、第１方向Ｘ及び第２方向Ｙの配置数が異なってもよい。
【００２８】
上述のように複数枚を並列配置してスライドプレート２１を構成する分割スライドプレート２２は、表面が研磨仕上げ、ＰＴＦＥコーティング、あるいは硬質クロムメッキなどが施されて摩擦係数が低い、適宜の厚みの金属板であり、上面側の角部２２ｂは、図４に示すように、Ｒ加工あるいは面取り加工が施されている。なお、このように構成された分割スライドプレート２２は、充填材入りで滑り性の高いＰＴＦＥ系やＰＡ系の樹脂で構成されたベアリング１２やダミーベアリング１３より高強度であることは言うまでもない。
【００２９】
このように、第１方向Ｘ及び第２方向Ｙに複数並列配置した分割スライドプレート２２同士の間のわずかな隙間により、第１方向Ｘあるいは第２方向Ｙに延びる凹部２３が形成されている。なお、第１方向Ｘに３枚、第２方向Ｙに３枚並べて全体で９枚の分割スライドプレート２２を並列配置して構成したスライドプレート２１では、平面視井型状の凹部２３が形成される。
【００３０】
また、このように第１方向Ｘ及び第２方向Ｙに並列配置した分割スライドプレート２２同士の間のわずかな隙間（本実施形態では１ｍｍ程度）によって形成される凹部２３は、滴下しない程度の粘度のシリコーン等による間詰め材２４で間詰めされている。
【００３１】
このように構成されるスライドプレート２１は、複数枚の分割スライドプレート２２をわずかな隙間を隔てて下部建造物１０１の上面１０１ａに対して固定することなく載置し、分割スライドプレート２２同士の間のわずかな隙間によって形成される凹部２３を間詰め材２４で間詰めして構成することができるとともに、このように構成されたスライドプレート２１によって下沓２０が構成されることとなる。
【００３２】
そして、上部建造物１００の底面１００ａに組み付けられた上沓１０におけるベアリング１２の底面１２ａで構成する上摺動面１０ａと、下部建造物１０１の上面１０１ａに据え付けられたスライドプレート２１の上面２１ａ（すなわち分割スライドプレート２２の上面）で構成する下摺動面２０ａとが摺動可能に対向させて配置されることにより、上部建造物１００の底面１００ａと下部建造物１０１の上面１０１ａとの間に、上摺動面１０ａと下摺動面２０ａとが摺動可能な滑り支承装置１を構成することができる。
【００３３】
このように構成された滑り支承装置１は、下部建造物１０１の上面１０１ａに据え付けた下沓２０の下摺動面２０ａに対して、図１及び図２（ａ）に示す摺動範囲Ａｒを摺動範囲として摺動することができる。
【００３４】
このとき、ベアリング１２の底面１２ａで構成する上摺動面１０ａと、スライドプレート２１の上面２１ａで構成する下摺動面２０ａとの摩擦係数は、分割スライドプレート２２を載置した下部建造物１０１の上面１０１ａと分割スライドプレート２２の底面２２ａとの摩擦係数より低いため、下部建造物１０１に対して上部建造物１００が相対移動した場合、下部建造物１０１の上面１０１ａに対して固定されていないスライドプレート２１（分割スライドプレート２２）が移動することなく、下摺動面２０ａを構成するスライドプレート２１に対して上摺動面１０ａが摺動することとなる。
【００３５】
また、摺動範囲Ａｒは、スライドプレート２１を構成する分割スライドプレート２２の平面サイズより大きいため、下沓２０に対して摺動する上沓１０は、スライドプレート２１を構成する分割スライドプレート２２同士の間の凹部２３を越えて摺動することとなる。
【００３６】
具体的には、図４（ａ）に示すような初期状態から、下部建造物１０１に対して上部建造物１００が、例えば、凹部２３を越えて第１方向Ｘに移動しようとすると、図４（ｂ）に示すように、ベアリング１２より、第１方向Ｘの外側、つまり第１方向Ｘに移動するベアリング１２より摺動方向、つまり移動方向先方にあるダミーベアリング１３がまず凹部２３を摺動することとなる。
【００３７】
このとき、凹部２３を間詰め材２４で間詰めしているものの、また、分割スライドプレート２２の角部２２ｂは面取りされているものの、凹部２３を通過する際に、分割スライドプレート２２の角部２２ｂによって、ダミーベアリング１３が削れたり、ダミーベアリング１３が摺動する間詰め材２４が削れたりして摩耗粉３０となり、図４（ｃ）のａ部拡大図に示すように、摩耗粉３０が凹部２３を間詰めする間詰め材２４の上部を覆う、つまり凹部２３を覆うこととなる。
【００３８】
そして、下部建造物１０１に対して上部建造物１００が、さらに第１方向Ｘに移動すると、ベアリング１２が凹部２３を摺動することとなるが、図４（ｃ）のａ部拡大図に示すように、ダミーベアリング１３や間詰め材２４が削れた摩耗粉３０が凹部２３を覆っているため、凹部２３を構成する分割スライドプレート２２の角部２２ｂによって、ベアリング１２の底面１２ａが損傷することを防止できる。
【００３９】
このように、下部建造物１０１で上部建造物１００を支持する支持構造において、上部建造物１００の底面１００ａに設けられた上沓１０と下部建造物１０１の上面１０１ａに設けた下沓２０とで構成され、上沓１０の上摺動面１０ａと下沓２０の下摺動面２０ａとが摺動する滑り支承装置１は、上沓１０の上摺動面１０ａに、ベアリング１２と、ベアリング１２における摺動方向の前方に配置されたダミーベアリング１３とを設け、下沓２０の下摺動面２０ａは、凹部２３を有するとともに、ベアリング１２より摺動方向に広いスライドプレート２１で構成したことにより、凹部２３が設けられた下摺動面２０ａを摺動する上沓１０のベアリング１２が損傷することを防止することができる。
【００４０】
詳述すると、上沓１０の上摺動面１０ａに設けられたベアリング１２が下沓２０の下摺動面２０ａを構成する摺動方向に広いスライドプレート２１に対して摺動するが、上沓１０の上摺動面１０ａには、ベアリング１２ととともに、摺動方向の前方である径外側にダミーベアリング１３を設けているため、ダミーベアリング１３がベアリング１２より先行してスライドプレート２１の凹部２３を摺動することとなる。
【００４１】
そして、凹部２３を摺動するダミーベアリング１３が凹部２３を構成する分割スライドプレート２２の角部２２ｂによって削れたり、間詰めする間詰め材２４が削れたりして形成された摩耗粉３０で凹部２３を覆うため、後続して摺動するベアリング１２が凹部２３を摺動しても、ベアリング１２が損傷することを防止できる。  
そのため、凹部２３を有するスライドプレート２１に対するベアリング１２の摺動性能が低下することなく、耐久性のある滑り支承装置１を構成することができる。
【００４２】
また、下沓２０は、摺動面における全方向に摺動可能に上沓１０より広く形成し、ダミーベアリング１３は、ベアリング１２の径外側において環状に形成されているため、全方向の滑り支承装置１においていずれの方向に摺動しても、凹部２３を摺動することによるベアリング１２の損傷に起因する摺動性能の低下を防止することができる。
【００４３】
また、ＰＴＦＥ系やＰＡ系の樹脂で構成されたダミーベアリング１３は、金属製であるスライドプレート２１に比べて低強度であるため、凹部２３を摺動することでダミーベアリング１３は凹部２３を形成する分割スライドプレート２２の角部２２ｂによって削られ、より確実に凹部２３を形成する角部２２ｂをダミーベアリング１３が削れた摩耗粉３０で覆い、凹部２３を摺動することによるベアリング１２の損傷を防止することができる。
【００４４】
詳述すると、ダミーベアリング１３がスライドプレート２１の強度より高い場合、ダミーベアリング１３が凹部２３を摺動することでダミーベアリング１３によって凹部２３を形成する角部２２ｂを削り、角部２２ｂが滑らかになり、ベアリング１２の損傷は防止できるものの、スライドプレート２１自体も削れて滑り性能が低下するおそれがある。
【００４５】
これに対し、スライドプレート２１に比べて低強度であるダミーベアリング１３は、凹部２３を摺動することで確実に削れて摩耗粉３０を形成し、凹部２３を構成する分割スライドプレート２２の角部２２ｂを摩耗粉３０で覆うことができ、摺動性が低下することのない滑り支承装置１を構成することができる。
【００４６】
また、スライドプレート２１は、上沓１０の摺動距離（摺動範囲Ａｒ）に対して複数に分割された分割スライドプレート２２を並設して構成しているため、所定の摺動距離を有するとともに、摺動性が低下することがない滑り支承装置１の施工性を向上することができる。
【００４７】
詳述すると、スライドプレート２１は、上沓１０の摺動距離（摺動範囲Ａｒ）に対して複数に分割された分割スライドプレート２２を並設して構成することで、所望の摺動距離（摺動範囲Ａｒ）を確保できるスライドプレート２１を構成することができる。
【００４８】
なお、所望の摺動距離（摺動範囲Ａｒ）を一枚のスライドプレート２１で確保する場合に比べ、分割スライドプレート２２は小さいため、各分割スライドプレート２２における平面度を容易に向上させることができる。
【００４９】
また、複数並設された分割スライドプレート２２同士の間、つまり継ぎ目に形成された凹部２３を越えてベアリング１２が摺動しても、上述したようにダミーベアリング１３が凹部２３を摺動する際に削れて摩耗粉３０を形成し、凹部２３を形成する角部２２ｂを覆うため、凹部２３を摺動するベアリング１２が損傷することを防止できる。
【００５０】
さらにまた、分割スライドプレート２２を複数並設してスライドプレート２１を構成しているため、後発的に摺動範囲Ａｒを広げる必要が生じても、スライドプレート２１に対して分割スライドプレート２２を並設することで、容易に摺動範囲Ａｒを広げることができる。
【００５１】
また、スライドプレート２１は、下部建造物１０１の上面１０１ａに対して分割スライドプレート２２を固定することなく載置して構成しているため、下部建造物１０１の上面１０１ａに容易にスライドプレート２１を設置することができる。
【００５２】
詳述すると、一般的には、バックプレートと呼ばれる固定部材にスライドプレート２１を装着してからバックプレートを下部建造物１０１の上面１０１ａに固定することでスライドプレート２１を据え付けるが、下部建造物１０１の上面１０１ａに固定することなくスライドプレート２１を直接載置するため、施工性よくスライドプレート２１を据え付けることができる。
【００５３】
殊に、スライドプレート２１を分割スライドプレート２２で構成しているため、一枚構成されたスライドプレート２１に比べて分割スライドプレート２２は小型であるため、より施工性を向上することができる。
【００５４】
なお、下部建造物１０１の上面１０１ａとスライドプレート２１との対向面における摩擦に対し、スライドプレート２１とベアリング１２との摩擦が小さいため、下部建造物１０１の上面１０１ａに対してスライドプレート２１を固定しなくても、下部建造物１０１と上部建造物１００との相対移動に伴って、下部建造物１０１の上面１０１ａとスライドプレート２１との対向面における摩擦より摩擦の小さなスライドプレート２１とベアリング１２とが摺動することができる。
【００５５】
このように、スライドプレート２１を下部建造物１０１の上面１０１ａに固定することなく載置するだけで良いため、容易にスライドプレート２１を下部建造物１０１の上面１０１ａに据え付けることができる。
【００５６】
以上、本発明の構成と、前述の実施態様との対応において、本発明の下部建造物は下部建造物１０１に対応し、
以下同様に、
上部建造物は上部建造物１００に対応し、
上部建造物の下部は上部建造物１００の底面１００ａに対応し、
上沓は上沓１０に対応し、
下部建造物の上部は下部建造物１０１の上面１０１ａに対応し、
下沓は下沓２０に対応し、
上沓の摺動面は上沓１０の上摺動面１０ａに対応し、
下沓の摺動面は下沓２０の下摺動面２０ａに対応し、
滑り支承装置は滑り支承装置１に対応し、
一方の摺動面は上沓１０の上摺動面１０ａに対応し、
滑り部材はベアリング１２に対応し、
犠牲滑り部材はダミーベアリング１３に対応し、
他方の摺動面は下沓２０の下摺動面２０ａに対応し、
凹部は凹部２３に対応し、
広摺動面部材はスライドプレート２１に対応し、
分割広摺動面部材は分割スライドプレート２２に対応するも、上記実施形態に限定するものではない。
【００５７】
上述の説明において滑り支承装置１は、摺動面１０ａ，２０ａにおける面内方向の任意の方向に可動する全方向に摺動可能な滑り支承装置１で構成したが、第１方向Ｘあるいは第２方向Ｙの一方向に摺動する一方向の滑り支承装置であってもよい。
【００５８】
また、全方向に摺動可能な滑り支承装置１においてベアリング１２の径外側に環状のダミーベアリング１３を配置したが、上述のように、第１方向Ｘあるいは第２方向Ｙの一方向に摺動する一方向滑り支承装置の場合、摺動方向の外側、つまり一方向に長く形成されるベアリング１２の長手方向の外側にダミーベアリング１３を配置することとなる。
【００５９】
さらにまた、上述の説明における滑り支承装置１は、摺動面１０ａ，２０ａのうち下沓２０の下摺動面２０ａを上沓１０の上摺動面１０ａに比べて摺動方向に広く形成し、下摺動面２０ａとなるスライドプレート２１を構成する分割スライドプレート２２同士の間の隙間、すなわち分割スライドプレート２２同士の継ぎ目である凹部２３を、上沓１０に設けたダミーベアリング１３が摺動して摩耗粉３０によって凹部２３を覆い、ベアリング１２が凹部２３を摺動しても損傷することがないように構成したが、例えば、上部建造物１００と下部建造物１０１の構成によっては下摺動面２０ａを構成する下沓２０を上部建造物１００の底面１００ａに取り付けて上沓とし、上摺動面１０ａを構成する上沓１０を下部建造物１０１の上面１０１ａに取り付けて下沓としても、上述の滑り支承装置１と同様の効果を奏することができる。
【００６０】
上記ベアリング１２とダミーベアリング１３とは、下沓２０の下摺動面２０ａを構成するスライドプレート２１に対する滑り性能が高い部材であり、ベアリング１２とダミーベアリング１３とが同素材で構成したが、別素材で構成されてもよい。
【００６１】
スライドプレート２１に設けられた凹部２３は、複数並設された分割スライドプレート２２同士の間の継ぎ目で構成したが、スライドプレート２１を下部建造物１０１に固定するネジなどの固定箇所等による凹部２３であってもよく、また、このような凹部２３であってもシリコーン等の間詰め材で間詰めしてもよい。
【符号の説明】
【００６２】
１…滑り支承装置
１０…上沓
１０ａ…上摺動面
１２…ベアリング
１３…ダミーベアリング
２０…下沓
２０ａ…下摺動面
２１…スライドプレート
２２…分割スライドプレート
２３…凹部
１００…上部建造物
１００ａ…底面
１０１…下部建造物
１０１ａ…上面
【図１】
2020059974.tif 000003
【図２】
2020059974.tif 000004
【図３】
2020059974.tif 000005
【図４】
2020059974.tif 000006